(57)【要約】【課題】分割された印刷物をつなぎ合わせる際の手間を軽減させることが可能なポスター印刷システムを提供すること。【解決手段】印刷物を折返してつなぎ合わせ可能な余白であって、印刷面に対して谷折りをするための第１の余白と、印刷面に対して山折りをするための第２の余白を設定する余白設定手段と、前記第１の余白として設定された側に対して、前記余白谷折りされることにより折り返された用紙の辺が印刷の端とし、当該用紙の辺よりも内側に印刷制御する第１の印刷制御手段と、前記第２の余白として設定された側に対して、前記余白を山折りした折り位置が印刷の端とし、当該折り位置よりも内側に印刷制御する第２の印刷制御手段と、を有することを特徴とする。【選択図】図７
2015032035.tif 000002
【特許請求の範囲】
【請求項１】
複数枚の印刷物をつなぎ合わせることにより大きな画像を印刷可能な印刷管理システムであって、
前記印刷物を折返してつなぎ合わせ可能な余白であって、印刷面に対して谷折りをするための第１の余白と、印刷面に対して山折りをするための第２の余白を設定する余白設定手段と、
前記第１の余白として設定された側に対して、前記余白が谷折りされることにより折り返された用紙の辺が印刷の端とし、当該用紙の辺よりも内側に印刷制御する第１の印刷制御手段と、
前記第２の余白として設定された側に対して、前記余白を山折りした折り位置が印刷の端とし、当該折り位置よりも内側に印刷制御する第２の印刷制御手段と、
を有することを特徴とする印刷管理システム。
【請求項２】
前記余白設定手段は、前記つなぎ合わせたときに隣接する辺に対しては、前記第１の余白と第２の余白の組となるように設定することを特徴とする請求項１記載の印刷管理システム。
【請求項３】
前記余白のサイズを指定する余白サイズ指定手段を更に有し、
前記余白設定手段は、前記余白サイズ指定手段で指定された余白サイズを前記余白に対して設定することを特徴とする請求項１または２記載の印刷管理システム。
【請求項４】
前記印刷物の上下または左右に余白を設定する場合には、当該第１の余白および第２の余白が異なるように設定することを特徴とする請求項１乃至３のいずれか１項に記載の印刷管理システム。
【請求項５】
前記余白設定手段は、前記余白に対して谷折りまたは山折りするための折返し線を印刷制御することを特徴とする請求項１乃至４のいずれか１項に記載の印刷管理システム。
【請求項６】
複数枚の印刷物をつなぎ合わせることにより大きな画像を印刷可能な印刷管理システムの制御方法であって、
余白設定手段が、前記印刷物を折返してつなぎ合わせ可能な余白であって、印刷面に対して谷折りをするための第１の余白と、印刷面に対して山折りをするための第２の余白を設定する余白設定ステップと、
第１の印刷制御手段が、前記第１の余白として設定された側に対して、前記余白が谷折りされることにより折り返された用紙の辺が印刷の端とし、当該用紙の辺よりも内側に印刷制御する第１の印刷制御ステップと、
第２の印刷制御手段が、前記第２の余白として設定された側に対して、前記余白を山折りした折り位置が印刷の端とし、当該折り位置よりも内側に印刷制御する第２の印刷制御ステップと、
を有することを特徴とする印刷管理システムの制御方法。
【請求項７】
複数枚の印刷物をつなぎ合わせることにより大きな画像を印刷可能な印刷管理システムで読み取り可能なプログラムであって、
前記印刷管理システムを、
前記印刷物を折返してつなぎ合わせ可能な余白であって、印刷面に対して谷折りをするための第１の余白と、印刷面に対して山折りをするための第２の余白を設定する余白設定手段と、
前記第１の余白として設定された側に対して、前記余白が谷折りされることにより折り返された用紙の辺が印刷の端とし、当該用紙の辺よりも内側に印刷制御する第１の印刷制御手段と、
前記第２の余白として設定された側に対して、前記余白を山折りした折り位置が印刷の端とし、当該折り位置よりも内側に印刷制御する第２の印刷制御手段と、
を有することを特徴とする印刷管理システムとして機能させるためのプログラム。
【発明の詳細な説明】
【技術分野】
【０００１】
本発明は、ポスター印刷を行うことが可能な印刷管理システムに関する。
【背景技術】
【０００２】
複合機やプリンタなどの出力装置の出力可能な最大サイズよりも大きなポスターなどの出力物を印刷したい場合、ページを複数の用紙に分割して印刷が行われている。印刷に必要な用紙の枚数は、分割印刷の設定によって計算され、ユーザは印刷された用紙をつなぎ合わせることでポスター作成している。
【０００３】
この場合でも用紙をつなぎ合わせる際には、余白の切断や貼り付けなどユーザに負担がかかっている。これに対して、ポスター印刷の際にユーザの負担を軽減することを目的とする特許文献１が提案されている。
【先行技術文献】
【特許文献】
【０００４】
【特許文献１】特開２０１１−２１６００６号公報
【発明の概要】
【発明が解決しようとする課題】
【０００５】
特許文献においては、縁無し印刷を行えばユーザの負担がある程度軽減されるとしているが、全ての用紙サイズに対して縁無し印刷ができるとは限らないことを課題とし、重ねあわせる部分については縁無し印刷を行い、これと反対の辺は縁無し印刷が行われないようにレイアウトするような技術が開示されている。
【０００６】
しなしながら特許文献の技術を利用するには、少なくとも１辺はフチなし印刷ができるように構成する必要がある。確かに、用紙に余白を作らず印刷するフチなし印刷が行えれば用紙を比較的簡単につなぎ合わせることができるが、例えばレーザープリンタなどのフチなし印刷が行えないプリンタから出力すると、出力物同士をつなぎ合わせるときに、ハサミやカッターなどで余白を切断する手間が発生する。
【０００７】
そこで本発明は、分割された印刷物をつなぎ合わせる際の手間を軽減させることが可能なポスター印刷システムを提供することを課題する。
【課題を解決するための手段】
【０００８】
複数枚の印刷物をつなぎ合わせることにより大きな画像を印刷可能な印刷管理システムであって、前記印刷物を折返してつなぎ合わせ可能な余白であって、印刷面に対して谷折りをするための第１の余白と、印刷面に対して山折りをするための第２の余白を設定する余白設定手段と、前記第１の余白として設定された側に対して、前記余白谷折りされることにより折り返された用紙の辺が印刷の端とし、当該用紙の辺よりも内側に印刷制御する第１の印刷制御手段と、前記第２の余白として設定された側に対して、前記余白を山折りした折り位置が印刷の端とし、当該折り位置よりも内側に印刷制御する第２の印刷制御手段と、を有することを特徴とする。
【発明の効果】
【０００９】
本発明によれば、分割された印刷物をつなぎ合わせる際の手間を軽減させることが可能なポスター印刷システムを提供することができる。
【図面の簡単な説明】
【００１０】
【図１】本発明の実施形態に係わる印刷管理システムのシステム構成の一例示す図である。
【図２】本発明の実施形態に係わる印刷管理システムにおける情報処理装置のハードウェア構成の一例を示すブロック図である。
【図３】本発明の実施形態に係わる印刷管理システムにおける印刷管理装置のハードウェア構成の一例を示す図である。
【図４】本発明の実施形態に係わる印刷管理システムの機能構成の一例を示す図である。
【図５】本発明の実施形態に係わる従来のポスター印刷の流れを説明する図である。
【図６】本発明の実施形態に係わる印刷管理システムの出力イメージを示す図である。
【図７】本発明の実施形態に係わる印刷管理システムの第１の印刷完成図の一例を示す図である。
【図８】本発明の実施形態に係わる印刷管理システムの第２の印刷完成図の一例を示す図である。
【図９】本発明の実施形態に係わる印刷管理システムの印刷出力設定画面の一例を示す図である。
【図１０】本発明の実施形態に係わる印刷管理システムの情報処理装置からの印刷出力の一例を示すフローチャートである。
【図１１】本発明の実施形態に係わる印刷管理装置の印刷出力の一例を示すフローチャートである。
【図１２】本発明の実施形態に係わる印刷管理システムの詳細フローの一例を示すフローチャートである。
【発明を実施するための形態】
【００１１】
以下、本発明の実施の形態を、図面を参照して詳細に説明する。
【００１２】
図１は、本発明の実施形態に関わる印刷管理システムのシステム構成の一例を示す図である。
【００１３】
本実施形態の印刷管理システムは、情報処理装置１００、印刷サーバ２００、および印刷管理装置３００がローカルエリアネットワーク（ＬＡＮ）４００を介して通信可能に接続される構成となっている。
【００１４】
パソコンなどを適用可能な情報処理装置１００には、プリンタドライバがインストールされており、アプリケーションプログラムを介して、印刷サーバ２００等へ印刷データを送信し、印刷サーバ２００の所定の格納場所（スプール領域）に格納させ、複合機などを適用可能な印刷管理装置３００に出力することができる。
【００１５】
印刷管理システムでは、印刷管理装置３００から出力されるポスター印刷に係る印刷物の印刷を管理、制御している。
【００１６】
また、情報処理装置１００には、印刷管理装置３００のステータスを表示するアプリケーションもインストールされ、印刷サーバ２００からステータス変化通知を受信すると、当該ユーザがログインしている場合その通知されたステータス情報を含んだＧＵＩが最前面に表示される。
【００１７】
また、情報処理装置１００は、印刷管理装置３００に対して直接印刷指示を出すことも可能あるし、ユーザは印刷管理装置３００を直接操作することで、印刷出力を行うことができるようになっている。
【００１８】
本実施形態では、このように印刷管理システムとして複数装置からなる構成になっているが、これらの印刷管理システムの機能を、印刷管理装置３００単体で行ったり、情報処理装置１００や印刷サーバ２００と連携して行うようにしたりすることができる。
【００１９】
図２は、本発明の実施形態に係わる印刷管理システムにおける情報処理装置のハードウェア構成の一例を示すブロック図である。
【００２０】
情報処理装置は、情報処理装置１００や印刷サーバ２００などに適用可能である。
【００２１】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、情報処理装置１００が実行する機能を実現するために必要な後述する各種プログラム等が記憶されている。
【００２２】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２３】
また、２０５は入力コントローラで、キーボードやポインティングデバイス等の入力装置２０９からの入力を制御する。２０６はビデオコントローラで、ディスプレイ装置２１０等の表示器への表示を制御する。これらは必要に応じて操作者が使用するものである。
【００２４】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２５】
２０８は通信Ｉ／Ｆ（インタフェース）コントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２６】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２７】
本発明を実現するための後述するフローチャートに示す各ステップの処理は、コンピュータで読み取り実行可能なプログラムにより実行され、そのプログラムは外部メモリ２１１に記録されている。そして、必要に応じてＲＡＭ２０２にロードされることによりＣＰＵ２０１によって実行されるものである。また、さらに、上記プログラムの実行時に用いられる定義ファイル及び各種情報テーブル等も、外部メモリ２１１に格納されており、これらについての詳細な説明も後述する。次に、図３を参照して、図１の印刷管理装置３００のハードウェア構成について説明する。
【００２８】
図３は、本発明の実施形態に係わる印刷管理装置のハード構成の一例を示す図である。
【００２９】
図３において、３１６はコントローラユニットで、画像入力デバイスとして機能するスキャナ３１４や、画像出力デバイスとして機能するプリンタ３１２と接続する一方、ＬＡＮ（例えば、図１に示したＬＡＮ４００）や公衆回線（ＷＡＮ）（例えば、ＰＳＴＮまたはＩＳＤＮ等）と接続することで、画像データやデバイス情報の入出力を行う。
【００３０】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００３１】
３０３はＲＯＭで、システムのブートプログラムや各種制御プログラムが格納されている。３０４はハードディスクドライブ（ＨＤＤ）で、システムを制御するための各種プログラム，画像データ等を格納する。情報処理装置１００から受信したセキュリティ設定がされた印刷データもこのＨＤＤ３０４に記憶されることになる。
【００３２】
３０７は操作部インタフェース（操作部Ｉ／Ｆ）で、操作部３０８とのインタフェース部である。また、操作部Ｉ／Ｆ３０７は、操作部３０８から入力したキー情報（例えば、スタートボタンの押下）をＣＰＵ３０１に伝える役割をする。
【００３３】
３０５はネットワークインタフェース（ネットワークＩ／Ｆ）で、ＬＡＮ４００等のネットワークに接続し、データの入出力を行う。３０６はモデムで、公衆回線に接続し、ＦＡＸの送受信等のデータの入出力を行う。
【００３４】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においてはユーザの認証を行う際に必要となる非接触ＩＣカード（記憶媒体）の読み取り用のカードリーダ３１９が外部Ｉ／Ｆ３１８に接続されている。そして、ＣＰＵ３０１は、この外部Ｉ／Ｆ３１８を介してカードリーダ３１９によるＩＣカードからの情報読み取りを制御し、該ＩＣカードから読み取られた情報を取得可能である。以上のデバイスがシステムバス３０９上に配置される。
【００３５】
３２０はイメージバスインタフェース（イメージバスＩ／Ｆ）であり、システムバス３０９と画像データを高速で転送する画像バス３１５とを接続し、データ構造を変換するバスブリッジである。画像バス３１５は、ＰＣＩバスまたはＩＥＥＥ１３９４で構成される。画像バス３１５上には以下のデバイスが配置される。
【００３６】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００３７】
３１７は画像処理部で、入力画像データに対し補正、加工、編集を行ったり、プリント出力画像データに対して、プリンタの補正、解像度変換等を行ったりする。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。そして、この画像処理部３１７は、スキャナ３１４を駆動して画像読み取りされた画像データを画像処理して、ファイル出力可能な形式（例えば、ＰＤＦ形式ファイル）に変換し、ＣＰＵ３０１と連携して、ネットワークＩ／Ｆ３０５を介して、外部装置に画像データのファイルを送信することができる。
【００３８】
スキャナ３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００３９】
プリンタ３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ３１２には、異なる用紙サイズまたは異なる用紙向きを選択できるように複数の給紙段を持ち、それに対応した用紙カセットがある。
【００４０】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００４１】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時、また手動でユーザのログアウト処理を行う時に用いる。リセットキーは、操作部からの設定を初期化する時に用いる。
【００４２】
カードリーダ３１９は、ＣＰＵ３０１からの制御により、非接触ＩＣカードに記憶されている情報を読み取り、該読み取った情報を外部Ｉ／Ｆ３１８を介してＣＰＵ３０１へ通知する。
【００４３】
以上のような構成によって、複合機は、スキャナ３１４から読み込んだ画像データをＬＡＮ４００上に送信したり、ＬＡＮ４００から受信した印刷データをプリンタ３１２で印刷出力したりすることができる。
【００４４】
また、スキャナ３１４から読み込んだ画像データをモデム３０６により、公衆回線上にＦＡＸ送信したり、公衆回線からＦＡＸ受信した画像データをプリンタ３１２で印刷出力したりすることができる。
【００４５】
図４は、本発明の実施形態に係わる印刷管理システムの機能構成の一例を示す図である。
【００４６】
印刷管理システム４１０は、印刷データ受信部４１１、ポスター印刷処理部４１２、余白設定部４１３、および印刷制御部４１４を有している。
【００４７】
印刷データ受信部４１１は、複合機などの印刷管理装置３００の有するスキャナなどにより印刷データを取得したり、情報処理装置１００からプリンタドライバを介して印刷データを受信したりする。
【００４８】
ポスター印刷処理部４１２は、印刷データ受信部４１１で印刷データを取得する際にポスター印刷の設定がされていた場合にポスター印刷に関する各種処理を実行する。例えば、受信した１ページのプリントデータを拡大して、複数枚の用紙（４枚／２×２，９枚／３×３，１６枚／４×４など）に分割してプリントするものである。
【００４９】
用紙の枚数によって、用紙に印刷するデータは拡縮率を算出する。分割する用紙の枚数はユーザによって選択可能である。プリント後、印刷物を貼り合せることによって１枚の大きな画像（例えば大判ポスターなど）に仕上げることができる。
【００５０】
余白設定部４１３は、本発明の特徴である折返しポスター印刷オプションが設定された場合に余白に関する設定を行う。折返し印刷オプションは、ポスター印刷を実行する際に選択可能な項目であって、この項目が選択された場合、余白部分を折返し、折返した部分をつなぎ合わせることが可能となる。詳細については後述する。
【００５１】
印刷制御部４１４は、ポスター印刷処理部によって分割された画像を余白設定部４１３で設定された余白を考慮した位置に印刷されるよう印刷を制御する。また、余白に対して折り目線を印刷することも可能である。
【００５２】
図５は、本発明の実施形態に係わる従来のポスター印刷の流れを説明する図である。
【００５３】
印刷データ受信部４１１で受信した印刷データ５０１から大きな画像の出力物５０５と印刷したい場合、印刷データ５０１を分割画像５０２、５０３に分割して印刷出力する。
【００５４】
ユーザは出力された印刷物の余白５０４を切り取って、テープなどを利用してつなぎ合わせ、大きな画像５０５を生成している。
【００５５】
フチなし印刷が可能なプリンタを利用すれば余白５０４を切り取る処理を省略することは可能であるが、テープなどでつなぎ合わせる処理は必要となる。本発明では、余白を折返して印刷物用紙を結合できるようになるので、テープなどによってつなぎ合わせる処理を省略することも可能となる。余白の構成について図６を利用して説明する。
【００５６】
図６は、本発明の実施形態に係わる印刷管理システムの出力イメージを示す図である。
【００５７】
図では用紙Ａ６０１と用紙Ｂ６０４に対して折返し印刷が適応されたイメージ図である。
【００５８】
用紙Ａ６０１は印刷面６０３に対して余白を６０２の位置で谷折りされる。その際印刷面の印刷位置は、折り返された用紙の辺より内側から始まるように調整される。
【００５９】
用紙Ｂ６０３は印刷面６０６に対して余白を６０５の位置で山折りされる。その際印刷面の印刷位置は、山折り６０５がされた位置よりも内側から始まるように調整される。
【００６０】
この場合用紙Ａや用紙Ｂの印刷領域は、図の点線で示されたものとなり、余白部分は、折返し位置の６０２と６０５が互いに引っかかるように接続して折り返す（谷折りと山折りの組合せ）。これにより、テープなどを用いることなくつなぎ合わせることができるようになる。
【００６１】
図７は、本発明の実施形態に係わる印刷管理システムの第１の印刷完成図の一例を示す図である。
【００６２】
本図では、１枚分の画像を縦に３枚の用紙を利用してポスター印刷を行う際のイメージ図である。
【００６３】
元原稿７０１の印刷を受付けると、７０２、７０３、および７０４の３つの印刷物が出力される。この３枚の出力物を縦につなぎ合わせることで大きな画像７０８を生成することができる。
【００６４】
印刷物７０１および７０４は端を有する印刷物となるので、７０２は印刷面の下方、７０４は印刷面の上方に折返し用の余白を有している。例では、下方に谷折りの余白を有する印刷物７０５、上方に山折りの余白・下方に谷折りの余白を有する印刷物７０６、および上方に山折りの余白を有する印刷物７０７が印刷される。このように７０２の下方と７０３の上方のように隣接する辺に対しては、谷折りと山折りの組となるように設定することが望ましい。
【００６５】
ユーザは折り目に沿って山折り、谷折りをして用紙を接続することで大きな画像を得ることができる。
【００６６】
なお、印刷画像７０２に示すように、谷折りを示す折り目線や印刷画像７０３に示すような山折りを示す折り目線を印刷するようにしてもよい。印刷領域が目印となるので、山折りには折り目線が不要とすることもできる。
【００６７】
図８は、本発明の実施形態に係わる印刷管理システムの第２の印刷完成図の一例を示す図である。
【００６８】
本図では、１枚の画像を縦×横で３枚ずつの用紙を利用してポスター印刷を行う場合のイメージ図である。
【００６９】
元原稿８０１の印刷を受付けると、印刷画像８０２のように余白の設定および印刷画像の拡縮を行い印刷する。ここでは、つなぎ合わせたときに一番外側となる部分には折返しのための余白は設けられない。本実施形態では、真ん中の１枚は上下左右の全ての余白が折返しのための余白となっている。
【００７０】
８０３では、ユーザは初めに上下の印刷画像を折返し余白を利用して連結し、次に８０４で左右の折返し余白を利用して連結し、大きな画像８０５を得ている。
【００７１】
図９は、本発明の実施形態に係わる印刷管理システムの印刷出力設定画面の一例を示す図である。
【００７２】
本画面は、情報処理装置１００または印刷管理装置３００において設定される画面の一例で、情報処理装置１００に表示される場合は、プリンタドライバの画面に表示されユーザからの設定を受付ける。
【００７３】
印刷管理装置３００に表示される場合は、タッチパネルなどの操作パネル上に表示され、ユーザからの設定を受付けることが可能である。
【００７４】
印刷設定９０１では、原稿サイズ、出力用紙サイズ、など通常の印刷で利用する項目に加え、ページレイアウト９０２で、ポスター印刷の用紙枚数を設定する。ここでは、（ポスター２×２、ポスター３×３、ポスター４×４）などのポスター印刷の分割枚数に関する設定を受付ける。
【００７５】
折返しポスター印刷９０３のチェックを入力することで、本発明の折返しポスター印刷が実行される。チェックが入力されない場合は通常のポスター印刷が実行される。チェックはページレイアウトでポスター印刷の設定が選択された場合に入力可能となるようにしてもよい。
【００７６】
折返し余白９０４は、折返し用の余白のサイズを指定することができる。ここで指定したサイズを折返し用の余白として印刷設定に利用される。
【００７７】
設定された内容が反映されたプレビュー画面９０５が表示され確認ができるようになっている。
【００７８】
図１０は、本発明の実施形態に係わる印刷管理システムの情報処理装置からの印刷出力の一例を示すフローチャートである。
【００７９】
情報処理装置１００から印刷管理装置へ印刷データを送信する際のフローチャートである。ステップＳ１００１で、ユーザは情報処理装置１００で印刷指示を行うとプリンタドライバの画面が表示される。
【００８０】
ステップＳ１００２で図９に示すような印刷ダイアログが表示され、ステップＳ１００３で原稿サイズを指定し、ステップＳ１００４で出力用紙サイズを入力し、ステップＳ１００５でページレイアウト９０２を指定する。
【００８１】
ページレイアウトで、レイアウトを入力後、ステップＳ１００６で折返しポスター印刷９０３がチェックされていた場合は、ステップＳ１００７に進み、折返し余白９０４の入力を受け付けステップＳ１００８に進む。一方、折返しポスター印刷が指定されなかった場合には、ステップＳ１００８に進む。
【００８２】
ステップＳ１００８でプリンタドライバから印刷ボタンが押下されると、ステップ１００９で折返しポスター印刷に関する設定が実行される。処理の詳細については、後述の図１１を利用して説明する。
【００８３】
ステップＳ１０１０では、折返しポスター印刷処理で設定された内容に従って印刷データの出力を行う。
【００８４】
図１１は、本発明の実施形態に係わる印刷管理装置の印刷出力の一例を示すフローチャートである。
【００８５】
図１０では、情報処理装置１００のプリンタドライバ経由で印刷指示される流れについて説明したが、本実施形態では、ユーザが印刷管理装置３００を直接操作して印刷する流れについて説明する。基本的な流れは図１０と同じであるので異なる処理の部分について説明する。
【００８６】
ステップＳ１１０１でユーザは印刷管理装置３００の操作パネルからコピー操作を行うことで図９に示すようなコピー画面を表示する。その後ステップＳ１１０２からステップＳ１１０７の処理は、図１０のステップＳ１１０２からステップＳ１００７の処理と同様であるので説明は省略する。
【００８７】
ステップＳ１１０８でユーザにより印刷のスタートボタンが押下されると、ステップＳ１１０９に進み折返しポスター印刷処理を行い、ステップＳ１１１０で画像データを出力して処理を終了する。
【００８８】
図１２は、本発明の実施形態に係わる印刷管理システムの詳細処理の一例を示すフローチャートである。
図１０および図１１の折返しポスター印刷処理に対応する。
【００８９】
ステップＳ１２０１で、印刷設定画面のページレイアウトで指定された分割数を取得し、ステップＳ１２０２では、折返し余白９０４を取得し、余白サイズを決定する。山折りとする場合は、入力された折返し余白をそのまま余白サイズとし、谷折りとする場合は入力された折返し余白の倍のサイズを余白サイズとして設定する。
【００９０】
ステップＳ１２０３は、用紙から余白領域を除いた部分を印刷可能領域として算出する。ステップＳ１２０４では、印刷可能領域と入力された原稿サイズから全体の拡縮率を算出し、ステップＳ１２０５で算出された拡縮率で印刷可能領域に対して印刷される画像を生成する。
【００９１】
ステップＳ１２０６で全ての画像分のデータが生成されるまで処理をループし、全て生成されると処理を終了し、図１０や図１１の処理に戻り画像データは出力されることになる。
【００９２】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００９３】
また、本発明におけるプログラムは、実施例に示すフローチャートの処理方法をコンピュータが実行可能なプログラムであり、本発明の記憶媒体は実施例にしめるフローチャートの処理方法をコンピュータが実行可能なプログラムが記憶されている。なお、本発明におけるプログラムは実施例の各装置の処理方法ごとのプログラムであってもよい。
【００９４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９５】
この場合、記録媒体から読み出されたプログラム自体が本発明の新規な機能を実現することになり、そのプログラムを記憶した記録媒体は本発明を構成することになる。
【００９６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。  さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１００】
なお、上述した各実施形態およびその変形例を組み合わせた構成も全て本発明に含まれるものである。
【符号の説明】
【０１０１】
１００  情報処理装置
２００  印刷サーバ
３００  印刷管理装置
４００  ＬＡＮ
【図１】
2015032035.tif 000003
【図２】
2015032035.tif 000004
【図３】
2015032035.tif 000005
【図４】
2015032035.tif 000006
【図５】
2015032035.tif 000007
【図６】
2015032035.tif 000008
【図７】
2015032035.tif 000009
【図８】
2015032035.tif 000010
【図９】
2015032035.tif 000011
【図１０】
2015032035.tif 000012
【図１１】
2015032035.tif 000013
【図１２】
2015032035.tif 000014